(57)【要約】  ベースバンドリソースの自動配分方法及び装置であって、すべての自動に配分されたローカルセルセット、自動に配分されたベースバンドプレートセット、自動に配分されたＢＢＵフレームセットをトラバーサルし、未配分のセルセット、配分されたセルセット、未調整のセルセット、アイドルベースバンドプレートセット及び関連の機械フレームセットを生成すること、すべての自動に配分されたＢＢＵフレームセットをトラバーサルし、すべてのベースバンドリソースを自動配分するＢＢＵフレームセットを配分原則に従ってローカルセルに配分することを含む。上記方法及びその装置により、セルに配分原則に従ってベースバンドリソースを循環に配分することを採用し、十分にベースバンドリソースを利用し、それによりベースバンドリソースを最大限に利用し、同時に人工介入の過程を減少し、エラーの確率を低下させ、クラスタ環境で大規模に基地局を作成する際、作業効率を大幅に向上させる。【選択図】図１
2014533903.tif 000002
【特許請求の範囲】
【請求項１】
ベースバンドリソースの自動配分方法であって、
Ａ．すべての自動に配分されたローカルセルセット、自動に配分されたベースバンドプレートセット及び自動に配分されたベースバンドユニット（ＢＢＵ）フレームセットをトラバーサルし、未配分のセルセット、配分されたセルセット、未調整のセルセット、アイドルベースバンドプレートセット及び関連のＢＢＵフレームセットを生成すること、
Ｂ．すべての自動に配分されたＢＢＵフレームセットをトラバーサルし、すべての自動に配分されたＢＢＵフレームセットにおけるベースバンドプレートリソースをローカルセルに配分すること、を含むベースバンドリソースの自動配分方法。
【請求項２】
前記ステップＡは、
Ａ１、すべての自動に配分されたローカルセルとベースバンドプレートをトラバーサルし、第１ローカルセルの関連のリモート無線ユニット（ＲＲＵ）の所在のＢＢＵフレーム番号が第１ベースバンドプレートのＢＢＵフレーム番号と同じであると、前記第１ローカルセルと第１ベースバンドプレートを同一の自動に配分されたＢＢＵフレームセットに帰属し、自動に配分されたＢＢＵフレームセットの数を統計すること、
Ａ２、すべての自動に配分されたＢＢＵフレームセットをトラバーサルし、各ＢＢＵフレームセットに未配分のセルセット、配分されたセルセット、未調整のセルセット、アイドルベースバンドプレートセット、及び関連のＢＢＵフレームセットを生成すること、を含む請求項１に記載の方法。
【請求項３】
前記ステップＢは、
Ｂ１、すべての自動に配分されたＢＢＵフレームセットをトラバーサルし、各ＢＢＵフレームのアイドルベースバンドプレートセットにおける本フレームベースバンドプレートを未配分のセルセットにおける本フレームセルに配分し、配分を完成したセルを配分されたセルセットに帰属し、本フレームベースバンドプレートリソースが不足すると、未配分のセルセットにおける余剰セルを未調整のセルセットに帰属すること、
Ｂ２、すべての自動に配分されたＢＢＵフレームセットをトラバーサルし、他のＢＢＵフレームのアイドルベースバンドプレートセットにおけるアイドルベースバンドリソースを本ＢＢＵフレームの未調整のセルセットにおけるセルに配分すること、
Ｂ３、すべての自動に配分されたＢＢＵフレームセットをトラバーサルし、各ＢＢＵフレームのアイドルベースバンドプレートセットにおける余剰アイドルベースバンドリソースを配分されたセルセットにおけるセルに配分すること、を含む請求項１に記載の方法。
【請求項４】
前記ステップＢ１は、
すべての自動に配分されたＢＢＵフレームセットをトラバーサルし、各ＢＢＵフレームの未配分のセルをアイドルベースバンドプレートセットに配分し、配分を完成したセルを配分されたセルセットに帰属し、アイドルリソース使用済のベースバンドプレートをアイドルベースバンドプレートセットから除去し、未配分のセルを本フレームのベースバンドに置くことができないと、すべてのＢＢＵフレームの未配分のセルセットが空になるまで、未配分のセルセットにおける余剰セルを未調整のセルセットに帰属することを含む請求項３に記載の方法。
【請求項５】
前記ステップＢ２は、
Ｂ２１、すべての自動に配分されたＢＢＵフレームセットをトラバーサルし、自動に配分されたＢＢＵフレームセットにおける未調整のセルセットに未調整のセルが存在する際、ステップＢ２２に転移すること、
Ｂ２２、関連の機械フレームセットにおける関連のＢＢＵフレームをアイドルリソースに従って降順に配列し、未調整のセルセットをトラバーサルすること、
Ｂ２３、未調整のセルセットにおける未調整のセルは降順に配列した関連のＢＢＵフレームにおいて配分を試み、関連のＢＢＵフレームの配分が成功することがあると、ステップＢ２４に転移し、関連のＢＢＵフレームの配分が成功することがないと、ステップＢ２５に転移すること、
Ｂ２４、関連のＢＢＵフレームの配分が成功することがあると、調整セルを該関連のＢＢＵフレームの配分されたセルセットに帰属し、且つ関連の機械フレームセットにおける関連のＢＢＵフレームアイドルリソースを更新し、ステップＢ２１に戻すこと、
Ｂ２５、未調整のセルは関連のＢＢＵフレームに配分できなく、戻しが失敗し、プロセスを終了すること、を含む請求項３に記載の方法。
【請求項６】
前記ステップＢ３は、
すべての自動に配分されたＢＢＵフレームセットをトラバーサルし、アイドルベースバンドプレートが存在するＢＢＵフレームがあると、配分されたセルセットにおけるすべてのセルを未配分のセルセットに帰属し、未配分のセルセットにおけるセルを順次にアイドルベースバンドプレートに配分し、すべてのＢＢＵフレームのアイドルベースバンドプレートセットが空になるまで、アイドルリソース使用済のベースバンドプレートをアイドルベースバンドプレートから除去すること、を含む請求項３に記載の方法。
【請求項７】
前記ステップＢにおいて、ベースバンドプレートリソース配分原則は、
ベースバンドリソースを人工配分するローカルセルとベースバンドプレートは自動配分に介入しないこと、
第１類のセル、第２類のセルはそれぞれ独立にベースバンドプレートを配分すること、
第３類のセルの配分順序は先にマクロセルで後に室内セルであること、
１つのローカルセルが複数のベースバンドプレートで処理することをできるだけ満たすこと、
基地局がクラスタする場合、１つのＢＢＵフレームのローカルセルは本フレームで配分することを優先に考慮し、本フレームに置くことができない際にまたクロスフレームの配分を考慮すること、又は、
ローカルセルのクロスフレームの配分の場合に、クロスフレームの交換リソース総数の制限を満たす必要があること、を含む請求項１に記載の方法。
【請求項８】
ベースバンドリソースの自動配分装置であって、それは、生成ユニット、配分ユニットを含み、
前記生成ユニットは、すべての自動に配分されたローカルセルセット、自動に配分されたベースバンドプレートセット、及び自動に配分されたベースバンドユニット（ＢＢＵ）フレームセットをトラバーサルし、未配分のセルセット、配分されたセルセット、未調整のセルセット、アイドルベースバンドプレートセット及び関連のＢＢＵフレームセットを生成するように設置され、
前記配分ユニットは、すべての自動に配分されたベースバンドリソースＢＢＵフレームセットをトラバーサルし、すべての自動に配分されたＢＢＵフレームセットを配分原則に従ってローカルセルに配分するように設置されるベースバンドリソースの自動配分装置。
【請求項９】
前記生成ユニットは、
すべての自動に配分されたローカルセルとベースバンドプレートをトラバーサルし、第１ローカルセルの関連のリモート無線ユニット（ＲＲＵ）の所在のＢＢＵフレーム番号が第１ベースバンドプレートのＢＢＵフレーム番号と同じであると、前記第１ローカルセルと第１ベースバンドプレートを同一の自動に配分されたＢＢＵフレームセットに帰属し、自動に配分されたＢＢＵフレームセットの数を統計し、及び
すべての自動に配分されたＢＢＵフレームセットをトラバーサルし、各ＢＢＵフレームセットのために未配分のセルセット、配分されたセルセット、未調整のセルセット、アイドルベースバンドプレートセット、及び関連のＢＢＵフレームセットを生成するように設置される請求項８に記載の装置。
【請求項１０】
前記配分ユニットは、：
すべての自動に配分されたＢＢＵフレームセットをトラバーサルし、各ＢＢＵフレームのアイドルベースバンドプレートセットにおける本フレームベースバンドプレートを未配分のセルセットにおける本フレームセルに配分し、配分を完成したセルを配分されたセルセットに帰属し、本フレームベースバンドプレートリソースが不足すると、未配分のセルセットにおける余剰セルを未調整のセルセットに帰属し、
すべての自動に配分されたＢＢＵフレームセットをトラバーサルし、他のＢＢＵフレームのアイドルベースバンドプレートセットにおけるアイドルベースバンドリソースを本ＢＢＵフレームの未調整のセルセットにおけるセルに配分し、
すべての自動に配分されたＢＢＵフレームセットをトラバーサルし、各ＢＢＵフレームのアイドルベースバンドプレートセットにおける余剰アイドルベースバンドリソースを配分されたセルセットにおけるセルに配分する方式ですべての自動に配分されたＢＢＵフレームセットをローカルセルに配分するように設置される請求項８に記載の装置。
【請求項１１】
ベースバンドプレートリソースの配分原則は、
ベースバンドリソースを人工配分するローカルセルとベースバンドプレートが自動配分に介入しないこと、
第１類のセル、第２類のセルはそれぞれ独立にベースバンドプレートを配分すること、
第３類のセル配分順序は先にマクロセルで後に室内セルであること、
１つのローカルセルが複数のベースバンドプレートで処理することをできるだけ満たすこと、
基地局がクラスタする際、１つのＢＢＵフレームのローカルセルは本フレームで配分することを優先に考慮し、本フレームに置くことができない際にまたクロスフレームの配分を考慮すること、及び
ローカルセルのクロスフレームの配分の場合に、クロスフレームの交換リソース総数の制限を満たす必要があること、を含む請求項８に記載の装置。
【発明の詳細な説明】
【技術分野】
【０００１】
本発明は、無線通信システムに関し、特にクラスタ環境でベースバンドリソースの配分方法及びその装置に関する。
【背景技術】
【０００２】
従来の単一基地局環境において、セルとベースバンドプレートのマッピング関係は本基地局における幾つかのベースバンドプレートに限定されたものであり、このため、セルとベースバンドプレートの配分関係は人工で設定されたものである。
【０００３】
クラスタ環境を導入した後、セルマッピングのベースバンドプレートはある基地局におけるベースバンドプレートに限定されたものではなく、この場合に相変わらず人工設定によりベースバンドリソースを配分すると、時間と労働力がかなりかかり、且つサービス担当者は非常にベースバンドプレートの各リソース総量及び各タイプのセルがリソースに対する消耗を了解する必要があり、このように、サービス担当者の作業量を大幅に向上させ、その作業圧力を増加し、同時にサービス担当者が優れた技術能力を備えることを要求し、同時に人工が設定過程に介入したので、エラーの確率を増加させ、クラスタ環境で大規模に基地局を作成する際、作業効率を大幅に低下させる。
【発明の概要】
【発明が解決しようとする課題】
【０００４】
本発明実施例は、セルに配分原則に従ってベースバンドリソースを循環に配分し、十分にベースバンドリソースを利用し、それによりベースバンドリソースを最大限に利用し、同時に人工介入の過程を減少し、エラーの確率を低下させ、クラスタ環境で大規模に基地局を作成する際、作業効率を大幅に向上させるベースバンドリソースの自動配分方法及びその装置を提供することを目的とする。
【課題を解決するための手段】
【０００５】
本発明実施例はベースバンドリソースの自動配分方法を提供し、
Ａ．すべての自動に配分されたローカルセルセット、自動に配分されたベースバンドプレートセット及び自動に配分されたベースバンドユニット（ＢＢＵ）フレームセットをトラバーサルし、未配分のセルセット、配分されたセルセット、未調整のセルセット、アイドルベースバンドプレートセット及び関連のＢＢＵフレームセットを生成すること、
Ｂ．すべての自動に配分されたＢＢＵフレームセットをトラバーサルし、すべての自動に配分されたＢＢＵフレームセットにおけるベースバンドプレートリソースをローカルセルに配分すること、を含む。
【０００６】
選択的に、前記ステップＡは、
Ａ１、すべての自動に配分されたローカルセルとベースバンドプレートをトラバーサルし、第１ローカルセルの関連のリモート無線ユニット（ＲＲＵ）の所在のＢＢＵフレーム番号が第１ベースバンドプレートのＢＢＵフレーム番号と同じであると、前記第１ローカルセルと第１ベースバンドプレートを同一の自動に配分されたＢＢＵフレームセットに帰属し、自動に配分されたＢＢＵフレームセットの数を統計すること、
Ａ２、すべての自動に配分されたＢＢＵフレームセットをトラバーサルし、各ＢＢＵフレームセットに未配分のセルセット、配分されたセルセット、未調整のセルセット、アイドルベースバンドプレートセット、及び関連のＢＢＵフレームセットを生成すること、を含む。
【０００７】
選択的に、前記ステップＢは、
Ｂ１、すべての自動に配分されたＢＢＵフレームセットをトラバーサルし、各ＢＢＵフレームのアイドルベースバンドプレートセットにおける本フレームベースバンドプレートを未配分のセルセットにおける本フレームセルに配分し、配分を完成したセルを配分されたセルセットに帰属し、本フレームベースバンドプレートリソースが不足すると、未配分のセルセットにおける余剰セルを未調整のセルセットに帰属すること、
Ｂ２、すべての自動に配分されたＢＢＵフレームセットをトラバーサルし、他のＢＢＵフレームのアイドルベースバンドプレートセットにおけるアイドルベースバンドリソースを本ＢＢＵフレームの未調整のセルセットにおけるセルに配分すること、
Ｂ３、すべての自動に配分されたＢＢＵフレームセットをトラバーサルし、各ＢＢＵフレームのアイドルベースバンドプレートセットにおける余剰アイドルベースバンドリソースを配分されたセルセットにおけるセルに配分すること、を含む。
【０００８】
選択的に、前記ステップＢ１は、
すべての自動に配分されたＢＢＵフレームセットをトラバーサルし、各ＢＢＵフレームの未配分のセルをアイドルベースバンドプレートセットに配分し、配分を完成したセルを配分されたセルセットに帰属し、アイドルリソース使用済のベースバンドプレートをアイドルベースバンドプレートセットから除去し、未配分のセルを本フレームのベースバンドに置くことができないと、すべてのＢＢＵフレームの未配分のセルセットが空になるまで、未配分のセルセットにおける余剰セルを未調整のセルセットに帰属することを含む。
【０００９】
選択的に、前記ステップＢ２は、
Ｂ２１、すべての自動に配分されたＢＢＵフレームセットをトラバーサルし、自動に配分されたＢＢＵフレームセットにおける未調整のセルセットに未調整のセルが存在する際、ステップＢ２２に転移すること、
Ｂ２２、関連の機械フレームセットにおける関連のＢＢＵフレームをアイドルリソースに従って降順に配列し、未調整のセルセットをトラバーサルすること、
Ｂ２３、未調整のセルセットにおける未調整のセルは降順に配列した関連のＢＢＵフレームにおいて配分を試み、関連のＢＢＵフレームの配分が成功することがあると、ステップＢ２４に転移し、関連のＢＢＵフレームの配分が成功することがないと、ステップＢ２５に転移すること、
Ｂ２４、関連のＢＢＵフレームの配分が成功することがあると、調整セルを該関連のＢＢＵフレームの配分されたセルセットに帰属し、且つ関連の機械フレームセットにおける関連のＢＢＵフレームアイドルリソースを更新し、ステップＢ２１に戻すこと、
Ｂ２５、未調整のセルは関連のＢＢＵフレームに配分できなく、戻しが失敗し、プロセスを終了すること、を含む。
【００１０】
選択的に、前記ステップＢ３は、
すべての自動に配分されたＢＢＵフレームセットをトラバーサルし、アイドルベースバンドプレートが存在するＢＢＵフレームがあると、配分されたセルセットにおけるすべてのセルを未配分のセルセットに帰属し、未配分のセルセットにおけるセルを順次にアイドルベースバンドプレートに配分し、すべてのＢＢＵフレームのアイドルベースバンドプレートセットが空になるまで、アイドルリソース使用済のベースバンドプレートをアイドルベースバンドプレートから除去すること、を含む。
【００１１】
選択的に、前記ステップＢにおいて、ベースバンドプレートリソース配分原則は、
ベースバンドリソースを人工配分するローカルセルとベースバンドプレートは自動配分に介入しないこと、
第１類のセル、第２類のセルはそれぞれ独立にベースバンドプレートを配分すること、
第３類のセルの配分順序は先にマクロセルで後に室内セルであること、
１つのローカルセルが複数のベースバンドプレートで処理することをできるだけ満たすこと、
基地局がクラスタする場合、１つのＢＢＵフレームのローカルセルは本フレームで配分することを優先に考慮し、本フレームに置くことができない際更にクロスフレームの配分を考慮すること、又は、
ローカルセルはクロスフレームの配分を行う場合に、クロスフレームの交換リソース総数の制限を満たす必要があること、を含む。
【００１２】
本発明実施例は更にベースバンドリソースの自動配分装置を提供し、それは、生成ユニット、配分ユニットを含み、
前記生成ユニットは、すべての自動に配分されたローカルセルセット、自動に配分されたベースバンドプレートセット、及び自動に配分されたベースバンドユニット（ＢＢＵ）フレームセットをトラバーサルし、未配分のセルセット、配分されたセルセット、未調整のセルセット、アイドルベースバンドプレートセット及び関連のＢＢＵフレームセットを生成するように設置され、
前記配分ユニットは、すべての自動に配分されたベースバンドリソースＢＢＵフレームセットをトラバーサルし、すべての自動に配分されたＢＢＵフレームセットを配分原則に従ってローカルセルに配分するように設置される。
【００１３】
選択的に、前記生成ユニットは、
すべての自動に配分されたローカルセルとベースバンドプレートをトラバーサルし、第１ローカルセルの関連のリモート無線ユニット（ＲＲＵ）の所在のＢＢＵフレーム番号は第１ベースバンドプレートのＢＢＵフレーム番号と同じであると、前記第１ローカルセルと第１ベースバンドプレートを同一の自動に配分されたＢＢＵフレームセットに帰属し、自動に配分されたＢＢＵフレームセットの数を統計し、及び
すべての自動に配分されたＢＢＵフレームセットをトラバーサルし、各ＢＢＵフレームセットに未配分のセルセット、配分されたセルセット、未調整のセルセット、アイドルベースバンドプレートセット、及び関連のＢＢＵフレームセットを生成するように設置される。
【００１４】
選択的に、前記配分ユニットは以下の方式ですべての自動に配分されたＢＢＵフレームセットをローカルセルに配分するように設置される：
すべての自動に配分されたＢＢＵフレームセットをトラバーサルし、各ＢＢＵフレームのアイドルベースバンドプレートセットにおける本フレームベースバンドプレートを未配分のセルセットにおける本フレームセルに配分し、配分を完成したセルを配分されたセルセットに帰属し、本フレームベースバンドプレートリソースが不足すると、未配分のセルセットにおける余剰セルを未調整のセルセットに帰属し、
すべての自動に配分されたＢＢＵフレームセットをトラバーサルし、他のＢＢＵフレームのアイドルベースバンドプレートセットにおけるアイドルベースバンドリソースを本ＢＢＵフレームの未調整のセルセットにおけるセルに配分し、
すべての自動に配分されたＢＢＵフレームセットをトラバーサルし、各ＢＢＵフレームのアイドルベースバンドプレートセットにおける余剰アイドルベースバンドリソースを配分されたセルセットにおけるセルに配分する。
【００１５】
選択的に、ベースバンドプレートリソースの配分原則は、
ベースバンドリソースを人工配分するローカルセルとベースバンドプレートが自動配分に介入しないこと、
第１類のセル、第２類のセルはそれぞれ独立にベースバンドプレートを配分すること、
第３類のセル配分順序は先にマクロセルで後に室内セルであること、
１つのローカルセルが複数のベースバンドプレートで処理することをできるだけ満たすこと、
基地局がクラスタする際、１つのＢＢＵフレームのローカルセルは本フレームで配分することを優先に考慮し、本フレームに置くことができない際更にクロスフレームの配分を考慮すること、及び
ローカルセルはクロスフレームの配分を行う場合に、クロスフレームの交換リソース総数の制限を満たす必要があること、を含む。
【発明の効果】
【００１６】
従来の技術と比べて、本発明実施例はベースバンドリソースの自動配分方法及びその装置を提供し、基地局リソースを自動配分する方式で、セルに配分原則に従ってベースバンドリソースを循環に配分し、十分にベースバンドリソースを利用し、ベースバンドリソースを最大限に利用し、同時にサービス担当者に対する技術要求を低下させ、同時に人工介入の過程を減少し、エラーの確率をも低下させ、クラスタ環境で大規模に基地局を作成する際、作業効率を大幅に向上させることができる。
【図面の簡単な説明】
【００１７】
【図１】図１は本発明実施例によるベースバンドリソースの自動配分方法のフローチャートである。
【図２】図２は本発明実施例によるベースバンドリソースの自動配分装置の模式図である。
【発明を実施するための形態】
【００１８】
以下、図面を参照して本発明の実施例を詳しく説明する。なお、衝突しない場合、本発明における実施例及び実施例における特徴は互いに任意に組み合わせられる。
【００１９】
本発明実施例はベースバンドリソースの自動配分方案を提供し、該方案配分原則に従って、アイドルベースバンドプレートリソースが空になるまで、循環にベースバンドプレートを配分し、それによりベースバンドリソースを最大限に利用する。リソース設定テーブルを予めにバックグラウンドにより導入し、そのうちのセルセットとベースバンドプレートセットを抽出し、自動配分により、セルとベースバンドプレートのマッピング関係を取得する。
【００２０】
セルタイプをセル半径、移動速度などに従って第１類のセル、第２類のセル、第３類のセルに区分し、それにより便利に分類処理する。第１類のセルは、半径が４０ＫＭを超えて移動速度が２５０ＫＭ／Ｈよりも小さくするセルであり、第２類のセルは移動速度が２５０ＫＭ／Ｈを超えて半径が５ＫＭよりも小さいセルであり、第３類のセルは半径が４０ＫＭ以下で移動速度が２５０ＫＭ／Ｈ以下であるセルである。
【００２１】
各ＢＢＵフレームセットは処理の需要により以下の設定セットを定義し、以下のように説明する：
未配分のセルセット：本ＢＢＵフレームに配分する必要があるローカルセルセット、
配分されたセルセット：既に本ＢＢＵフレームにＢＰプレートが配分されたセルセット、
未調整のセルセット：他のＢＢＵフレームに調整する必要があるローカルセルセット、
アイドルベースバンドプレートセット：ローカルセルを負荷することができるＢＰプレートセット、
関連の機械フレームセット：本フレームのローカルセルが調整可能な関連のＢＢＵフレームのセット。
【００２２】
図１に示すように、本発明実施例はベースバンドリソースの自動配分方法を提供し、以下を含む：
ステップＡ、すべての自動に配分されたローカルセルセット、自動に配分されたベースバンド（ＢＰ）プレートセット、自動に配分されたＢＢＵフレームセットをトラバーサルし、未配分のセルセット、配分されたセルセット、未調整のセルセット、アイドルベースバンドプレートセット及び関連の機械フレームセットを生成する。具体的に、
ステップＡ１、すべての自動に配分されたローカルセルとＢＰプレートをトラバーサルし、ローカルセルの関連のＲＲＵの所在のＢＢＵフレーム番号とＢＰのＢＢＵフレーム番号が同じであると、ローカルセルとＢＰプレートを同一の自動に配分されたＢＢＵフレームセットに帰属し、自動ベースバンドリソースを配分しＢＢＵフレームセットの数を統計すること、
ステップＡ２、すべての自動に配分されたＢＢＵフレームセットをトラバーサルし、各ＢＢＵフレームのリソースセット：未配分のセルセット、未調整のセルセット、アイドルＢＰプレートセット、関連のＢＢＵフレームセットを生成すること、を含む。
【００２３】
ステップＢ、すべての自動に配分されたＢＢＵフレームセットをトラバーサルし、すべての自動に配分されたＢＢＵフレームセットにおけるベースバンドプレートリソースを配分原則に従ってローカルセルに配分する。
【００２４】
ベースバンドプレートリソース配分原則は以下の通りである：
１）ベースバンドリソースを人工配分するローカルセルとＢＰプレートが自動配分に介入しなく、合法性の検査のみを行い、且つ結果を出力すること、
２）第１類のセル、第２類のセルはそれぞれ独立にＢＰプレートを配分すること、
３）第３類のセル配分順序は先にマクロセルで後に室内セルであること、
４）１つのローカルセルは複数のＢＰプレートで処理することができることをできるだけ満たすこと、
５）基地局がクラスタする際、１つのＢＢＵフレームのローカルセルは本フレームで配分することを優先に考慮し、本フレームに置くことができない際更にクロスフレームの配分を考慮すること、
６）ローカルセルはクロスフレームの配分を行う場合に、クロスフレームの交換リソース総数の制限を満たす必要があること。
【００２５】
ステップＢは具体的に以下を含む：
ステップＢ１、すべての自動に配分されたＢＢＵフレームセットをトラバーサルし、アイドルベースバンドプレートセットにおける本フレームベースバンドプレートを配分原則に従って未配分のセルセットにおける本フレームセルに配分し、配分を完成したセルを配分されたセルセットに帰属し、本フレームベースバンドプレートリソースが不足すると、未配分のセルセットにおける余剰セルを未調整のセルセットに帰属する。具体的に、
すべての自動に配分されたＢＢＵフレームセットをトラバーサルし、各ＢＢＵフレームの未配分のセルをアイドルＢＰプレートセットに配分し、１循環のみ配分し、配分を完成したセルを配分されたセルセットに帰属し、アイドルリソース使用済のＢＰプレートをアイドルＢＰプレートセットから除去し、未配分のセルは本フレームのＢＰに置くことができないと、すべてのＢＢＵフレームの未配分のセルセットが空になるまで未配分のセルセットにおける余剰セルを未調整のセルセットに帰属する。
【００２６】
ステップＢ２、すべての自動に配分されたＢＢＵフレームセットをトラバーサルし、アイドルベースバンドプレートセットにおける他のフレームアイドルベースバンドリソースを配分原則に従って未調整のセルセットにおけるセルに配分する。具体的に、
ステップＢ２１、すべての自動に配分されたＢＢＵフレームセットをトラバーサルし、すべてのＢＢＵフレームにおける未調整のセルセットが空になるかどうかを判断し、未調整のセルセットに未調整のセルが存在すると、ステップＢ２２に転移すること、
ステップＢ２２、関連の機械フレームセットにおける関連のＢＢＵフレームをアイドルリソースに従って降順に配列し、未調整のセルセットをトラバーサルすること、
ステップＢ２３、未調整のセルセットにおける未調整のセルは降順に配列した関連のＢＢＵフレームにおいて配分を試み、関連のＢＢＵフレームの配分が成功することがあると、ステップＢ２４に転移し、そうではないと、ステップＢ２５に転移すること、
ステップＢ２４、関連のＢＢＵフレームの配分が成功することがあると、調整セルを該関連のＢＢＵフレームの配分されたセルセットに帰属し、且つ関連の機械フレームセットにおける関連のＢＢＵフレームアイドルリソースを更新し、ステップ２．２．１に戻すこと、
ステップＢ２５、未調整のセルを降順に配列した関連のＢＢＵフレームに完全に配分することができないと、戻しが失敗し、プロセスを終了すること、を含む。
【００２７】
ステップＢ３、すべての自動に配分されたＢＢＵフレームセットをトラバーサルし、アイドルベースバンドプレートセットにおける余剰アイドルベースバンドリソースを配分原則に従って配分されたセルセットにおけるセルに配分する。具体的に、
すべての自動に配分されたＢＢＵフレームセットをトラバーサルし、アイドルＢＰプレートが存在するＢＢＵフレームがあると、配分されたセルセットにおけるすべてのセルを未配分のセルセットに帰属し、未配分のセルセットにおけるセルを順次にアイドルＢＰプレートに配分し、すべてのＢＢＵフレームのアイドルＢＰプレートセットが空になるまで、アイドルリソース使用済のＢＰプレートをアイドルＢＰプレートから除去することを含む。
【００２８】
図２に示すように、本発明実施例はベースバンドリソースの自動配分装置を提出し、生成ユニット１０と配分ユニット２０を含み、
該生成ユニット１０は、すべての自動に配分されたローカルセルセット、自動に配分されたベースバンド（ＢＰ）プレートセット、自動に配分されたＢＢＵフレームセットをトラバーサルし、未配分のセルセット、配分されたセルセット、未調整のセルセット、アイドルベースバンドプレートセット及び関連の機械フレームセットを生成することに用いられる。
【００２９】
該配分ユニット２０は、生成ユニット１０が生成したすべての自動に配分されたＢＢＵフレームセットをトラバーサルし、すべての自動に配分されたＢＢＵフレームセットを配分原則に従ってローカルセルに配分することに用いられる。
【００３０】
ベースバンドプレートリソース配分原則は以下のようである：
１）ベースバンドリソースを人工配分するローカルセルとＢＰプレートが自動配分に介入しなく、合法性の検査のみを行い、且つ結果を出力すること、
２）第１類のセル、第２類のセルはそれぞれ独立にＢＰプレートを配分すること、
３）第３類のセル配分順序は先にマクロセルで後に室内セルであること、
４）１つのローカルセルが複数のＢＰプレートで処理することができることをできるだけ満たすこと、
５）基地局がクラスタする際、１つのＢＢＵフレームのローカルセルは本フレームで配分することを優先に考慮し、本フレームに置くことができない際更にクロスフレームの配分を考慮すること、
６）ローカルセルはクロスフレームの配分を行う場合に、クロスフレームの交換リソース総数の限制を満たす必要があること。
【００３１】
該配分ユニット２０はすべての自動に配分されたＢＢＵフレームセットを配分原則に従ってローカルセルに配分する。具体的な配分過程は以下のようである：
すべての自動に配分されたＢＢＵフレームセットをトラバーサルし、アイドルベースバンドプレートセットにおける本フレームベースバンドプレートを配分原則に従って未配分のセルセットにおける本フレームセルに配分し、配分を完成したセルを配分されたセルセットに帰属し、本フレームベースバンドプレートリソースが不足すると、未配分のセルセットにおける余剰セルを未調整のセルセットに帰属する。
【００３２】
すべての自動に配分されたＢＢＵフレームセットをトラバーサルし、他のフレームのアイドルベースバンドプレートセットにおけるアイドルベースバンドリソースを配分原則に従って未調整のセルセットにおけるセルに配分する。
【００３３】
すべての自動に配分されたＢＢＵフレームセットをトラバーサルし、アイドルベースバンドプレートセットにおける余剰アイドルベースバンドリソースを配分原則に従って配分されたセルセットにおけるセルに配分する。
【００３４】
当業者は、上記方法における全部又は部分ステップがプログラムにより関連のハードウェアを指令して完成することができ、前記プログラムはコンピュータ読み取り可能な記憶媒体、例えば読取り専用メモリ、ディスク又はＣＤ等に記憶することができることを理解すべきである。選択的に、上記実施例の全部又は部分ステップは１つ又は複数の集積回路を用いて実現することができる。相応的に、上記実施例における各モジュール／ユニットはハードウェアの形式を採用して実現してよく、ソフトウェア機能モジュールの形式を採用して実現してもよい。本発明の実施例はいずれの特定形式のハードウェアとソフトウェアの結合に限定しない。
【００３５】
なお、本発明は更に他の多種の実施例を有してよく、本発明の精神及び主旨を逸脱しない上に、当業者は本発明により各種の相応の改良と修正を行うことができるが、これらの改良と修正は本発明に属する請求の範囲の保護範囲に属すべきである。
【産業上の利用可能性】
【００３６】
本発明実施例はベースバンドリソースの自動配分方法及びその装置を提供し、自動に基地局リソースを配分する方式を採用し、セルに配分原則に従ってベースバンドリソースを循環に配分し、十分にベースバンドリソースを利用することができ、同時にサービス担当者に対する技術要求を低下させ、同時に人工介入の過程を減少したので、エラーの確率も低下させ、クラスタ環境で大規模に基地局を作成する際、作業効率を大幅に向上させることができる。
【図１】
2014533903.tif 000003
【図２】
2014533903.tif 000004
【国際調査報告】
2014533903.tif 000005
2014533903.tif 000006
2014533903.tif 000007
2014533903.tif 000008